(57)【要約】  本発明に係る情報検索システムは、業務支援情報を格納するデータベースと、業務支援情報から所定の情報を検索可能な情報管理装置と、を備える情報検索システムであって、情報管理装置は、検索者からキーワードを含む質問の入力を受け付ける質問受付部と、絞込用キーワードの属する区分情報の入力を受け付ける区分情報受付部と、入力された区分情報に属し、且つ、キーワードと相関関係のある絞込用キーワードを選択可能に提示する絞込用キーワード提示部と、検索処理を実行する検索実行部と、を備え、検索実行部は、入力されたキーワードと、選択された絞込用キーワードと、に基づいてデータベースに対して検索処理を実行する。
2021065379.tif 000002
【特許請求の範囲】
【請求項１】
業務支援情報を格納するデータベースと、前記業務支援情報から所定の情報を検索可能な情報管理装置と、を備える情報検索システムであって、
前記情報管理装置は、
検索者からキーワードを含む質問の入力を受け付ける質問受付部と、
絞込用キーワードの属する区分情報の入力を受け付ける区分情報受付部と、
入力された前記区分情報に属し、且つ、前記キーワードと相関関係のある絞込用キーワードを選択可能に提示する絞込用キーワード提示部と、
検索処理を実行する検索実行部と、
を備え、
前記検索実行部は、入力された前記キーワードと、選択された絞込用キーワードとに基づいて前記データベースに対して検索処理を実行する、
情報検索システム。
【請求項２】
前記業務支援情報は設備保全情報であって、
前記絞込用キーワード提示部により提示される絞込用キーワードは、設備保全業務において、前記質問受付部にて入力されたキーワードと相関関係のあるキーワードであり、
前記絞込用キーワード提示部は、２以上の絞込用キーワードを相関度と共に提示する、
請求項１に記載の情報検索システム。
【請求項３】
特定の絞込用キーワードが複数の前記区分情報の内、いずれの区分情報に属するかを定義する区分定義情報を記憶する記憶部を備える、請求項１又は２に記載の情報検索システム。
【発明の詳細な説明】
【技術分野】
【０００１】
本発明は、業務支援情報を格納するデータベースの中から所望の情報を効率的に検索可能な情報検索システムに関する。
【背景技術】
【０００２】
膨大な業務支援情報から所望の情報を検索するためには、情報検索システムに適正なキーワードを入力することが必要である。しかしながら、知識や経験が浅い者の場合、適正なキーワードを入力することが困難であるために、所望の情報を検索することができないという問題が発生しうる。このような背景から、特許文献１には、入力されたキーワードに加えてその類義語も含めて検索を実行することにより、入力されたキーワードが適正でなくとも所望の情報を検索することができる情報検索システムが提案されている。
【先行技術文献】
【特許文献】
【０００３】
【特許文献１】特開２０１９−１２１３９２号公報
【発明の概要】
【発明が解決しようとする課題】
【０００４】
しかしながら、特許文献１に記載の情報検索システムによれば、類義語も含めて検索が実行されるので、入力したキーワードによっては検索結果が膨大な数となる。この結果、検索結果の中に所望の情報が含まれているとしても、膨大な検索結果の中から一つずつ確認して所望の情報を特定するには多くの時間を要してしまう。【０００５】
本発明は、上記課題に鑑みてなされたものであって、その目的は、膨大な業務支援情報から所望の情報を効率よく特定可能な情報検索システムを提供することにある。
【課題を解決するための手段】
【０００６】
本発明に係る情報検索システムは、業務支援情報を格納するデータベースと、前記業務支援情報から所定の情報を検索可能な情報管理装置と、を備える情報検索システムであって、前記情報管理装置は、検索者からキーワードを含む質問の入力を受け付ける質問受付部と、絞込用キーワードの属する区分情報の入力を受け付ける区分情報受付部と、入力された前記区分情報に属し、且つ、前記キーワードと相関関係のある絞込用キーワードを選択可能に提示する絞込用キーワード提示部と、検索処理を実行する検索実行部と、を備え、前記検索実行部は、入力された前記キーワードと、選択された絞込用キーワードとに基づいて前記データベースに対して検索処理を実行する。【０００７】
前記業務支援情報は設備保全情報であって、前記絞込用キーワード提示部により提示される絞込用キーワードは、設備保全業務において、前記質問受付部にて入力されたキーワードと相関関係のあるキーワードであり、前記絞込用キーワード提示部は、２以上の絞込用キーワードを相関度と共に提示するとよい。【０００８】
特定の絞込用キーワードが複数の前記区分情報の内、いずれの区分情報に属するかを定義する区分定義情報を記憶する記憶部を備えるとよい。
【発明の効果】
【０００９】
本発明によれば、膨大な業務支援情報から所望の情報を効率よく特定可能な情報検索システムを提供することができる。
【図面の簡単な説明】
【００１０】
【図１】図１は、本発明の一実施形態である情報検索システムの構成を示すブロック図である。
【図２】図２は、フォルダ名及びファイル名の基準の一例を示す図である。
【図３Ａ】図３Ａは、区分定義情報記憶部に記憶されている定義情報の一例を示す図である。
【図３Ｂ】図３Ｂは、区分に属する単語の作成体系（定義）の一例を示す図である。
【図４Ａ】図４Ａは、情報種類判断用辞書に格納された情報種類判断用キーワードの一例を示す図である。
【図４Ｂ】図４Ｂは、キーワード辞書に格納されたキーワードの一例を示す図である。
【図５】図５は、本発明の一実施形態である情報検索処理の流れを示すフローチャートである。
【図６Ａ】図６Ａは、表示装置に表示される第１画面の一例を示す図である。
【図６Ｂ】図６Ｂは、表示装置に表示される第２画面の一例を示す図である。
【図６Ｃ】図６Ｃは、表示装置に表示される第３画面の一例を示す図である。
【図６Ｄ】図６Ｄは、表示装置に表示される第４画面の一例を示す図である。
【図６Ｅ】図６Ｅは、表示装置に表示される第５画面の一例を示す図である。
【図６Ｆ】図６Ｆは、表示装置に表示される第６画面の一例を示す図である。
【発明を実施するための形態】
【００１１】
以下、本発明の一実施形態である情報検索システムについて説明する。なお、以下では、業務支援情報の一例として製造業における設備保全業務情報について説明する。以降の説明で単に「情報」又は「データ」というときは「設備保全業務情報」を示すものとする。
【００１２】
〔構成〕
まず、図１を参照して、本発明の一実施形態である情報検索システムの構成について説明する。図１は、本発明の一実施形態である情報検索システムの構成を示すブロック図である。図１に示すように、本発明の一実施形態である情報検索システムは、情報を管理する情報管理装置１０と、検索対象となる複数の設備保全業務情報を格納するデータベース１２と、複数のファイルサーバー１４と、検索者側端末２０と、を備えている。そして、情報管理装置１０と、データベース１２と、複数のファイルサーバー１４と、検索者側端末２０とは夫々ネットワーク１８を介して接続されている。
【００１３】
ネットワーク１８は、ＬＡＮ（Local  Area  Network）等の利用者の所属する組織（会社）が管理する通信網である。但し、ネットワーク１８は、インターネット等の公衆通信網の他、ＷＡＮ（Wide  Area  Network）やＶＡＮ（Virtual  Private  Network）のような一般公衆回線を一部に介在させた通信網であってもよい。
【００１４】
情報管理装置１０及び検索者側端末２０はそれぞれ、コンピュータとプログラムとによって実現されている。検索者側端末２０としては、スマートフォン等の携帯端末、パーソナルコンピュータやタブレット型コンピュータが例示される。検索者側端末２０には、キーボードやマウス等の入力装置２２及びディスプレイ等の表示装置２４が接続又は一体化されている。
【００１５】
データベース１２内には、各ファイルサーバー１４に格納された報告書やマニュアル等の文書や図面、写真等が集約されて格納されている。文書は、初めからテキスト入力されたもののみならず、音声認識エンジンを用いて音声をテキスト化したものでもよく、ＯＣＲ（Optical  Character  Reader）を用いて紙媒体中の文章をテキスト化したものでもよい。図面や写真を格納する場合には図面中に埋め込まれた文字又はファイル名に対して検索処理を行うことが可能な態様で格納される。データベース１２に格納される情報には、装置等の故障や不具合とその原因、さらにはその対処法等の作業標準やマニュアル等の情報が含まれる。本実施形態においてファイルサーバー１４は、特定の設備が複数の地域（例えば複数国、複数県）に存在していることを想定し、地域毎に設置されている。
【００１６】
情報管理装置１０は、情報登録部１１０と、情報検索部１２０と、各種記憶部（キーワード辞書５０，区分定義情報記憶部５２，検索情報記憶部５４，情報種類判断用辞書５６）を有している。なお、本実施形態では理解を容易とすべく、登録機能と検索機能とを果たす構成を情報登録部１１０と情報検索部１２０とに分けて説明するが、両者は単一の構成により実行されてもよい。情報登録部１１０は、上述したように、登録機能、より詳説すれば各ファイルサーバー１４に格納された情報をデータベース１２に格納する処理を実行可能に構成されている。情報登録部１１０は、情報連携部１１２と、情報処理部１１４と、格納処理部１１６と、を備えている。
【００１７】
情報連携部１１２は、データベース１２に格納された情報と、各ファイルサーバー１４に格納された情報との連携を定期的或いは不定期に自動的に実行する。情報連携部１１２は、データベース１２に格納されていない新たなデータがファイルサーバー１４に格納されているときに当該新たなデータを、ネットワーク１８を介して取得する。情報処理部１１４は情報連携部１１２により取得されたデータに所定のデータ処理を施す。本実施形態ではデータ処理として、データに情報種類情報を付加する。情報種類情報とは、文書がどの情報種類に属するかを示す情報である。情報処理部１１４は、例えば各ファイルサーバー１４においてどのフォルダに保管されていたか及び／又はデータのファイル名によって特定する。図２は各ファイルサーバー１４に用意されているフォルダ名や、各フォルダに格納されるデータのファイル名を規定する基準の一例を示す図である。フォルダにより特定する場合、情報処理部１１４は、例えば、図２を参照して、「故障報告書」のフォルダに格納されていたデータは情報種類を“故障事例”とし、「作業標準書」、「作成手順書」及び「安全資料」のフォルダに格納されていたデータは情報種類を“マニュアル”とし、「保全ノウハウ」のフォルダに格納されていたデータは情報種類を“保全ノウハウ”とし、「図面」のフォルダに格納されていたデータは情報種類を“図面”とし、「整備台帳」のフォルダに格納されていたデータは情報種類を“整備台帳”とし、「操業標準」のフォルダに格納されていたデータは情報種類を“操業標準”とする。ファイル名により特定する場合、逐一の説明は省略するが、例えば図２に示すファイル作成基準に基づいてデータの作成者によりファイル名が作成されることでファイル名に基づいて、当該データが“故障事例”に属するといった特定が可能となる。
【００１８】
情報処理部１１４はさらにデータ処理として、区分定義情報記憶部５２に記憶されている区分情報に基づいて、データに区分情報を付与する。図３Ａは、区分定義情報記憶部５２に記憶されている区分情報の一例を示す図である。図３Ａに示すように区分情報は、特定の単語が複数の区分の内、いずれの区分に属する単語であるかが図３Ｂに示す基準に基づいて定義づけられている。図３Ａ中には例えば単語“abc”が  “状態”の区分に属すること及び区分情報として“Ｄ５１”が割り当てられていることが示されており、取得したデータ内に、“abc”の単語が含まれる場合、単語“abc”に与えられた区分情報“Ｄ５１”が当該データに付与される。なお、当該区分情報の付与は行わないこととしてもよいが、当該処理を行うことで後述する相関算出部１２６による相関度の算出を効率的に行うことができる。
【００１９】
図１に戻り、格納処理部１６は情報処理部１１４によりデータ処理されたデータをデータベース１２に格納する。その際、格納処理部１６は、格納するデータを情報種類毎に分けてデータベース１２に格納する（図１参照）。なお、データベース１２へのデータの格納は、情報登録部１１０による定期或いは不定期的な格納に加えて、例えば検索者側端末２０等を介して登録者により直接行われてもよい。登録者により直接登録される場合、登録者が操作する画面において、図２に示す基準が検索者側端末２０の表示装置２４等に表示されることで登録者はデータのファイル名を適切に設定した上で、データベース１２にデータを格納することができる。
【００２０】
情報検索部１２０は、検索者側端末２０からの検索指示に基づいてデータベース１２から特定の設備保全情報を検索、抽出する。情報検索部１２０は、質問受付部１２１と、言語処理部１２２と、検索候補キーワード読出部１２３と、情報種類判断部１２４と、区分情報受付部１２５と、相関算出部１２６と、絞込用キーワード提示部１２７と、検索実行部１３０と、を備えている。
【００２１】
各機能ブロックは概略次のような機能を有する。質問受付部１２１は、検索者によって検索者側端末２０の入力装置２２を介して入力された質問を、ネットワーク１８を経由して受け付ける。質問の入力形式は特に限られるものではなく、１以上の単語を入力してもよいし、自然言語形式の文章であってもよい。検索者側端末２０からは、例えば「ＡＡ設備でＢＢ装置が故障したときの対処は？」といった文章や、「ＡＡ装置  ＢＢ装置」といった複数の単語をスペースで区切った質問が入力される。
【００２２】
言語処理部１２２は、質問受付部１２１で受け付けた質問に対して既知の形態素解析等の言語処理を行うことにより単語（自立語）を抽出する。具体的には、言語処理部１２２は、入力された質問の中から後に検索に使用する入力検索キーワードと、検索意図（目的）である情報種類を判断するのに使用される情報種類判断用キーワードを抽出する。例えば上記例で「ＡＡ設備でＢＢ装置が故障したときの対処は？」との質問文章が入力された場合、言語処理部１２２は、「ＡＡ設備」及び「ＢＢ装置」を入力検索キーワードとして抽出する。また、言語処理部１２２は、情報種類判断用辞書５６（図４Ａ）を参照して、情報種類判断用辞書５６内に登録された単語と一致する単語を情報種類判断用キーワードとして抽出する。すなわち上記例では、言語処理部１２２は、「故障」及び「対処」という用語を情報種類判断用キーワードとして抽出する。
【００２３】
次に、検索候補キーワード読出部１２３について説明するが、その前に、キーワード辞書５０について説明する。キーワード辞書５０には、関連するキーワード同士が互いに対応付けされて予め登録、格納されている。本実施形態では、キーワード辞書５０には、互いに同義のキーワード同士が互いに対応付けされて登録されている。また、キーワード辞書５０には、互いに類義のキーワード同士が互いに対応付けされて登録されている。但し、キーワード辞書５０には、互いに同義のキーワードだけを登録してもよいし、互いに類義のキーワードだけを登録してもよい。これに代えて又は加えて、互いに関連性が高いと思われるキーワード同士を互いに対応付けして予め登録することもできる。なお、キーワード辞書５０に登録される単語は適宜追加や削除が可能である。
【００２４】
図４Ｂに、キーワード辞書５０に予め登録されたキーワードの一例を示す。図４Ｂでは、同じ行（横列）に属するキーワード同士が互いに関連するキーワードであり、互いに対応付けされている。
【００２５】
検索候補キーワード読出部１２３は、言語処理部１２２が入力検索キーワードを抽出する度にキーワード辞書５０を参照し、入力検索キーワードに関連するキーワードを検索候補キーワードとして読み出す。上記例に従うと、検索候補キーワード読出部１２３は、入力検索キーワードが「ＡＡ設備」の場合には、図４Ｂに例示したキーワード辞書５０を一致検索し、「ＡＡ設備」が含まれる行（図では第１行）に属する他の全てキーワードを、又は指定のある場合（例えば同義語のみ）には指定されたキーワードを検索候補キーワードとして読み出す。この例では、「ＡＡ設備」の同義語として「〇〇設備」、「Ａ  ’Ａ’設備」、「Ａ”Ａ”」が、類義語として「ａａａ」、「ａ’ａ’ａ’」が読み出される。上記例における「ＢＢ装置」についても同様にして、図４Ｂの第２行を参照して、関連したキーワードが検索候補キーワードとして読み出される。
【００２６】
検索情報記憶部５４は、上述のようにして得られた検索候補キーワードと情報種類判断用キーワードとを検索キーワードとして記憶するものである。検索情報記憶部５４は、質問が追加的に入力され、追加の検索キーワードが抽出される度に検索キーワードを累積的に記憶する。
【００２７】
情報種類判断部１２４は、質問から抽出された情報種類判断用キーワードに基づき、検索者の検索意図である情報種類を判断する。情報種類判断部１２４は、図４Ａに示す情報種類判断用辞書５６を参照して、情報種類判断用キーワードに基づき検索すべき情報種類を判断する。情報種類判断用辞書５６には、質問から抽出されると想定される情報種類判断用キーワードと、それに対応する情報種類とが対応付けされた状態で予め登録されている。例えば、情報種類判断用辞書５６には、「故障」、「類似例」及び「対処」という情報種類判断用キーワードに対して情報種類として「故障事例」が、「故障の種類」及び「交換手順」という情報種類判断用キーワードに対して情報種類として「マニュアル」が、それぞれ予め対応付けされた状態で登録されている。図４Ａでは図示を省略しているが、情報種類判断用辞書５６には、図２を参照して上述した情報種類「保全ノウハウ」、「図面」、「整備台帳」、「操業標準」についても、夫々情報種類判断用キーワードが記憶されている。
【００２８】
上述したようにデータベース１２に格納される情報は、情報登録部１１０（上述した格納処理部１１６）により情報種類に対応する種類別に、複数のグループＡ，Ｂ，Ｃ・・・に予め分けられている。例えば、図１に示す例では、第１情報種類のグループＡには「故障事例」に関する情報が格納され、第２情報種類のグループＢには「マニュアル」に関する情報が格納され、第３情報種類のグループＣには「図面」に関する情報が格納されている。以後図示は省略しているが、第４情報種類のグループＤ、第５情報種類のグループＥ、第６情報種類のグループＦには夫々「保全ノウハウ」、「整備台帳」、「操業標準」に関する情報が格納されている。なお、情報種類判断部１２４により判断された情報種類が検索者の意図とは異なる場合には、検索者の操作により情報種類を変更可能である。例えば上記例で「故障」、「対処」という情報種類判断用キーワードに対してはグループＡ「故障事例」が初期に情報種類として割り当てられるが、検索者は「マニュアル」に変更することでグループＢに属する情報から所望の情報を検索することができる。また、入力された質問から情報種類判断用キーワードが抽出されなかった場合は、情報種類としてグループＡ「故障事例」が初期割り当てされ、検索者が適宜変更することができる。
【００２９】
区分情報受付部１２５は、絞込用キーワードの属する区分を選択可能に表示する。上記例では、グループＡ「故障事例」に属する情報に対して、「ＡＡ設備」と「ＢＢ装置」（同義語、類義語も含む）という検索用キーワードで検索することとなるが、その検索結果が膨大な数となりうる。検索結果数を絞り込むには、更なるキーワードを追加する必要があるが、区分情報受付部１２５、後述する相関算出部１２６及び絞込用キーワード表示部は、検索者が絞込用キーワードを追加する支援を行う機能を果たす。
【００３０】
区分情報受付部１２５は、複数の区分を選択可能に表示する。本実施形態においては、「ライン」「設備」「装置」「部品」「状態」「原因」を含む複数の区分からいずれかの区分を選択可能に、例えばプルダウンメニューにて表示される（例えば、図６Ｃ参照）。なお、区分数は適宜追加・変更可能に構成されている。
【００３１】
相関算出部１２６は、検索用キーワードと、区分情報受付部１２５にて検索者により選択された区分に属する各単語との相関度を算出する。ここで相関度は、例えば同一の報告書やマニュアル等において検索用キーワードと、区分に属する各単語とが同時に記載されている頻度や、検索情報記憶部５４に記憶される検索キーワードとして検索用キーワードと区分に属する各単語が組み合わされた回数等によって算出される。なお、検索用キーワードが複数ある場合には、検索者の選択により、その一部又は全ての検索用キーワードに対して相関度が算出される。
【００３２】
絞込用キーワード提示部１２７は、区分情報受付部１２５にて検索者により選択された区分に属する各単語を、相関算出部１２６により算出された相関度とともに検索者に選択可能に提示する（例えば図６Ｄ参照）。検索者は相関度を参照しながら１以上の絞込用キーワードを選択することができる。検索者により特定の絞込用キーワードが選択された場合、選択された絞込用キーワードを検索キーワードとして検索情報記憶部５４に追加で記憶する。
【００３３】
検索実行部１３０は、データベース１２に格納された情報に対して、検索情報記憶部５４に記憶された検索キーワード（言語処理部１２２により抽出された入力検索キーワード及び絞込用キーワード提示部１２７において検索者により選択された絞込用キーワードを含む）とのテキストベースの一致検索処理を行う。本実施形態では、検索実行部１３０は、データベース１２内の複数のグループＡ，Ｂ，Ｃ・・・のうち、情報種類判断部１２４によって判断された情報種類に対応するグループ内の情報に対して、上記検索キーワードとのテキストベースの一致検索処理を行う。
【００３４】
〔情報検索処理〕
次に、図５、図６Ａ〜６Ｆを参照して、情報検索部１２０が情報検索処理を実行する際の情報検索システムの動作について説明する。図５は、本発明の一実施形態である情報検索処理の流れを示すフローチャートである。図６Ａ〜６Ｆは検索者側端末２０の表示装置２４に表示される画面であり、本発明の業務検索システムを使用するためのアプリケーション画面の一例である。図５のフローチャートは例えば、検索者が検索者側端末２０において、上記アプリケーションを起動したときに開始される。そしてステップＳ１０１において質問受付部１２１が質問を受け付けたか否かが判定され、質問が受け付けられることにより（Ｓ１０１のＹ）、ステップＳ１０２に進む。検索者がアプリケーションを起動すると表示装置２４には例えば図６Ａに示す画面が表示される。検索者は入力装置２２を介して検索スペース２００に質問を入力することが可能であり、検索者により検索スペース２００に質問が入力され、その後、送信アイコン２０１が選択（例えばクリック）されることで、質問受付部１２１が質問を受け付ける。本例では質問受付部１２１が、「ＡＡ設備でＢＢ装置が故障したときの対処は？」という質問文章を受け付けた場合を例に説明する。なお、画面下方には、履歴表示領域３００が設けられており、過去に検索スペース２００に入力された質問が全部又はその一部を複製可能に構成されており、過去の質問の内、任意の範囲を選択し、複製した上で、検索スペース２００に貼り付けることが可能である。
【００３５】
次に、言語処理部１２２が、質問受付部１２１で受け付けた質問文章に対して形態素解析等の自然言語処理を行うことにより、単語（自立語）を抽出する（ステップＳ１０２）。本例では、「ＡＡ設備でＢＢ装置が故障したときの対処は？」という質問文章から「ＡＡ設備」「ＢＢ装置」「故障」「対処」が抽出される。
【００３６】
続いて言語処理部１２２は、言語処理により抽出された単語から入力検索キーワードを抽出（選択）するとともに、情報種類判断用キーワードを抽出（選択）する（ステップＳ１０３）。本例では、言語処理部１２２は、「ＡＡ設備」及び「ＢＢ装置」を入力検索キーワードとして抽出し、情報種類判断用辞書５６を参照して、情報種類判断用辞書５６内に含まれる単語である「故障」及び「対処」を情報種類判断用キーワードとして抽出（選択）する。
【００３７】
次に、検索候補キーワード読出部１２３が、キーワード辞書５０を参照して、入力検索キーワードに関連したキーワードを検索候補キーワードとして読み出す（ステップＳ１０４）。本例では、図４Ｂに例示したキーワード辞書５０を参照して、ステップＳ１０３の処理で抽出された入力検索キーワードの「ＡＡ設備」が属する第１行目に含まれる同義語及び類義語と、「ＢＢ装置」が属する第２行目に含まれる同義語及び類義語とが検索候補キーワードとして読み出される。
【００３８】
次に、検索情報記憶部５４が、入力検索キーワード及び検索候補キーワード読出部１２３で読み出された検索候補キーワードを記憶する（ステップＳ１０５）。本例では、検索情報記憶部５４は「ＡＡ設備」及び「ＢＢ装置」とその同義語及び類義語を記憶する。
【００３９】
次に、情報種類判断部１２４は、ステップＳ１０３にて抽出された情報種類判断用キーワードと図４Ａに例示した情報種類判断用辞書５６に基づき情報種類（検索意図）を判断する（ステップＳ１０６）。本例では、「故障」及び「対処」が情報種類判断用キーワードとして抽出されており、情報種類判断部１２４は、情報種類判断用辞書５６を参照して「故障」及び「対処」に対応付けられた「故障事例」を情報種類と判断する。
【００４０】
次に、情報検索部１２０は、検索者側端末２０を介して、例えば図６Ｂに示すように、検索期間、上記各ステップで抽出、判断された情報種類、入力検索キーワードと共に、区分情報を表示装置２４に表示する（ステップＳ１０７）。表示装置２４において情報種類、入力検索キーワード及び区分情報は、選択可能・削除可能に表示されており、検索者は必要に応じて適宜変更することが可能である。例えば情報種類を変更する際には、入力装置２２を用いて別の種類を選択することで情報種類を変更することができる。検索期間としては任意の期間を設定することが可能であり、期間の指定がない場合は全期間を対象に検索を実行することができる。検索キーワードは、各キーワードの前にあるチェックボックスからチェックを外すことで検索対象から外すことができる。検索キーワードの表示領域には、単語要望アイコン２０３が選択可能に表示されており、検索キーワードとして表示されているキーワードに類似する他のキーワードの追加、或いは、検索キーワードとして表示されているキーワードの内、不適切なキーワードの削除を要望することができる。追加或いは削除が要望されたキーワードは、追加・削除の要望数が所定数に至った場合に追加又は削除されることとしてもよいし、追加又は削除の要望を受け取ったシステム管理者により適宜追加・削除されることとしてもよい。区分情報は例えば図６Ｂに示すように初期状態においては「指定なし」が選択されているが、当該箇所を、入力装置２２を用いて操作することで図６Ｃに示すようにプルダウンメニューが表示され、所望の区分を選択可能に構成されている。本例では例えば、図６Ｂにおいて情報種類及び入力検索キーワードに変更がなく、区分情報が「指定なし」から「状態」に変更された場合を例に説明する。
【００４１】
ステップＳ１０７において区分情報が「指定なし」から他の区分に変更されると、すなわち区分情報受付部１２５が「指定なし」以外の区分を受け付けると（ステップＳ１０８のＹ）、ステップＳ１０９に進み、区分情報が指定なしであれば（ステップＳ１０８のＮ）ステップＳ１１３に進む。ステップＳ１０９において相関算出部１２６は、ステップＳ１０７において検索者が選択した検索キーワードと、区分情報受付部１２５が受け付けた区分に属する各単語の相関度を算出する。本例では「ＡＡ設備」及び「ＢＢ装置」の双方のキーワードと区分「状態」に属する各単語との相関度が算出される。
【００４２】
そして絞込用キーワード提示部１２７は、検索者側端末２０を介して、例えば図６Ｄに示すように、区分情報受付部１２５が受け付けた区分に属する各単語を絞込用キーワードとし、ステップＳ１０９で算出された相関度と共に表示装置２４に表示する（ステップＳ１１０）。検索者は表示装置２４に表示された絞込用キーワードの内、適切と考えられる１以上の絞込用キーワードを検索キーワードに追加することが可能である。本例では、絞込用キーワードとして図６Ｄに示す単語「abc」が追加されたものとして説明する。なお、相関度の表示態様は特に限られるものではなく、図６Ｄに示すように図形（グラフ）で示してもよいし、他の表示態様の例として数値で示してもよい。
【００４３】
ステップＳ１１２において、情報検索部１２０は、ステップＳ１１０において絞込用キーワードが追加されたか否か（ステップＳ１１１）に応じて、検索者側端末２０を介して、上記各ステップで抽出、判断或いは検索者により選択された情報種類、入力検索キーワード及び区分情報を表示装置２４に表示する。具体的には、ステップＳ１１０において１以上の絞込用キーワードがキーワードに追加された場合は図６Ｅに示すように追加された絞込用キーワードが認識可能な画面が表示され、絞込用キーワードがキーワードに追加されなかった場合は、図６Ｂに示す画面が表示される。
【００４４】
そして、検索実行部１３０は、表示装置２４に表示された画面において検索アイコン２０２（図６Ｂ又は図６Ｅ参照）が選択されることで、データベース１２に格納された情報に対して検索処理を実行する。具体的には、検索実行部１３０は、データベース１２に格納された情報の中で、選択された情報種類に対応するグループに属する情報に対して、検索者の入力した質問に基づく入力検索キーワードに基づき、さらに絞込用キーワードが追加されている場合には、絞込用キーワードにも基づき、テキストベースの一致検索処理を実行する（ステップＳ１１３）。この際、情報種類が図面である場合には、検索実行部１３０は、図面に付されたファイル名及び／又は図面中にテキストデータとして埋め込まれた文字情報に対して検索を実行する。そして最後に、情報検索部１２０は、図６Ｆに示すようにその検索結果を検索者側の表示装置２４に表示する（ステップＳ１１４）。
【００４５】
図６Ｆに示す検索結果画面においては、検索により複数の情報（文書）がヒットした場合に、所定の基準（例えば情報の保存日が新しい順）に表示されるが、所定のレーティング情報が付加されている情報については所定の基準に優先して上位に表示される。ここで所定のレーティング情報として、図６Ｆでは「問題の対処に有用」及び「レアな問題への適用」に付与された星の数が例示されている。当該レーティング情報は、検索者により付与可能であり、任意の位置の星（図６Ｆでは各５個の星の内、任意の星）を選択することでレーティング情報を付与することが可能である。図６Ｆの例では、１番目に表示されている情報に対しては、「問題の対処に有用」項に対して「４」が、「レアな問題への適用」項に対しては「２」が付与されている。また、２番目に表示されている情報に対しては、「問題の対処に有用」項に対して「２」が、「レアな問題への適用」項に対しては「３」が付与されている。数値が大きければ大きいほどレーティングが高い、すなわち有用な情報である。本実施形態ではレーティング情報として２項（「問題の対処に有用」及び「レアな問題への適用」）を例示しているが何れか一方でもよく、或いは、３項以上設けることとしてもよい。レーティング情報が複数項目存在する場合には、その１項のレーティング情報に基づいて表示順を決定してもよいし、全項のレーティング情報（例えば全項の星の合計数）に基づいて表示順を決定してもよい。
【００４６】
本発明によれば、検索者が入力した質問から入力検索キーワードを抽出し、さらに当該入力検索キーワードと、絞込用キーワードの区分から、相関度と共に絞込用キーワードを提示するので、知識や経験が浅い者であっても絞込用キーワードとして適切なキーワードを選択することができる。そして入力検索キーワードと絞込用キーワードに基づいてデータベースから的確に検索者が求めるデータを抽出することができ、効率よく検索を行うことができる。これにより、故障や不具合が発生した場合に、検索者がその状況を文章として入力し、データベースから、効率よく過去の事例等の参考になる情報を検索し、検索された情報に基づいて、検索者が迅速に設備の故障復旧作業を行うことができる。
【００４７】
上記実施形態では、製造業における設備保全業務情報の情報検索システムについて説明したが、本発明は本実施形態に限定されることはなく、例えば、病気の症状に応じた対処方法や病名を示す情報、車等の機械類に表示されているエラー名や状態に応じた対処方法を示す情報等、Ｑ＆Ａ（Question  &  Answer）情報全般の検索システムに適用することができる。
【００４８】
上記実施形態では、データベース１２において各データが情報種類のグループ毎に格納されていることとし、検索の際には、入力検索キーワード及び絞込用キーワードに加え、情報種類にも基づいて検索が実行されることとしたが情報種類毎のグループ分けや検索の際に情報種類を参照した検索を行わないこととしてもよい。本実施形態によれば上述した通り、入力検索キーワードに加えて、絞込用キーワードにより検索が可能であり、情報種類に基づいた検索を実行しなくとも効率的に所望の情報を検索、抽出が可能である。
【００４９】
図６Ａでは検索者により入力された過去の質問が履歴表示領域３００に表示されることとしたが、当該履歴表示領域３００の大きさに応じて所定数の過去の質問が表示される。そこで検索者が履歴表示領域３００に表示されていない過去の質問について特定したいと考える場合には、別途ログダウンロードを実行可能に構成してもよい。ログダウンロードは例えば所定の設定画面（例えば図示しない検索者情報等の設定画面）から入手可能であればよく、任意の期間における自身（システムの管理者権限を有する管理者であれば自身及び他者）の検索行動のログデータを取得可能である。当該ログデータには、上述した検索者による各種操作、すなわち、検索条件（質問、検索期間、追加した絞込キーワード等）、閲覧したデータ情報、レーティング付加操作情報等が含まれる。
【００５０】
以上、本発明者らによってなされた発明を適用した実施形態について説明したが、本実施形態による本発明の開示の一部をなす記述及び図面により本発明は限定されることはない。すなわち、本実施形態に基づいて当業者等によりなされる他の実施の形態、実施例、及び運用技術等は全て本発明の範疇に含まれる。
【産業上の利用可能性】
【００５１】
本発明によれば、膨大な業務支援情報から所望の情報を効率よく特定可能な情報検索システムを提供することができる。
【符号の説明】
【００５２】
１０  情報管理装置
１２  データベース
１４  ファイルサーバー
１８  ネットワーク
２０  検索者側端末
２２  入力装置
２４  表示装置
５０  キーワード辞書
５２  区分定義情報記憶部
５４  検索情報記憶部
５６  情報種類判断用辞書
１１０  情報登録部
１１２  情報連携部
１１４  情報処理部
１１６  格納処理部
１２０  情報検索部
１２１  質問受付部
１２２  言語処理部
１２３  検索候補キーワード読出部
１２４  情報種類判断部
１２５  区分情報受付部
１２６  相関算出部
１２７  絞込用キーワード提示部
１３０  検索実行部
【図１】
2021065379.tif 000003
【図２】
2021065379.tif 000004
【図３Ａ】
2021065379.tif 000005
【図３Ｂ】
2021065379.tif 000006
【図４Ａ】
2021065379.tif 000007
【図４Ｂ】
2021065379.tif 000008
【図５】
2021065379.tif 000009
【図６Ａ】
2021065379.tif 000010
【図６Ｂ】
2021065379.tif 000011
【図６Ｃ】
2021065379.tif 000012
【図６Ｄ】
2021065379.tif 000013
【図６Ｅ】
2021065379.tif 000014
【図６Ｆ】
2021065379.tif 000015
【国際調査報告】
2021065379.tif 000016
2021065379.tif 000017
2021065379.tif 000018
2021065379.tif 000019